(57)【要約】【課題】固定状態のロックが不用意に解除されることなく、固定状態を確実にロックできるチャック装置を提供することを目的とする。【解決手段】チャックボディ１１、複数のジョー１２、ナットリング３４、インナースリーブ２３及びアウタースリーブ２４、並びにベアリングロック機構３０で構成したチャック装置１において、ベアリングロック機構３０によるロック状態、且つ電動工具Ｋの駆動回転状態において、インナースリーブ２３及びアウタースリーブ２４の軸心方向Ｘの不用意な移動に伴って、チャックボディ１１に対するインナースリーブ２３及びアウタースリーブ２４の回転を制限する食込み凸部２１４ｂ及びバックＯリング２２並びに食込み凸部２３３及びフロントＯリング２５を備えた。【選択図】図７
2015039756.tif 000002
【特許請求の範囲】
【請求項１】
軸心上で回転可能な駆動軸を有する駆動装置に装着するチャック装置であって、
前記軸心上に配置され、先端側に回転治具の基軸５の挿入を許容する軸孔を有する略円筒状のチャック本体と、
該チャック本体において、先端側で前記軸孔に連絡するとともに、後端側で前記チャック本体の側方に開口する傾斜孔に挿着され、前記チャック本体に対して移動可能に配置された複数のチャック爪と、
前記チャック本体に回動可能に保持されるとともに、前記チャック本体及び前記チャック爪に対する螺合によって前記複数のチャック爪を同期して前記傾斜孔内を傾斜方向に移動させるナットリングと、
前記チャック本体に対して回転自在に装着するとともに、回転操作によって回転力を入力する回転入力体と、
前記チャック本体に対する前記回転入力体の締付け方向の回転入力を許容するとともに、回転入力体の緩み方向の回転を規制するロック状態と、前記チャック本体に対する前記回転入力体の緩み方向の回転を解放するロック解除状態とを切り替えるロック手段とで構成し、
前記ロック手段によるロック状態、且つ前記駆動装置の駆動回転状態において、前記回転入力体の前記軸心方向の不用意な移動に伴って、前記チャック本体に対する前記回転入力体の回転を制限する回転制限手段を備えた
【請求項２】
前記回転制限手段を、
前記軸心方向の移動によって、前記回転方向の摩擦力を増大させる摩擦増大手段で構成した
請求項１に記載のチャック装置。
【請求項３】
前記チャック本体に固定されたリング状のリング状固定部材を備えるとともに、
前記摩擦増大手段を、
前記回転入力体及び前記リング状固定部材のうち一方の他方側の軸心方向端部に形成し、他方に向かって突出する突出部と、
他方の一方側の軸心方向端部に備え、前記突出部の食い込みを許容する被食い込み部材とで構成した
請求項２に記載のチャック装置。
【請求項４】
前記摩擦増大手段を、
前記回転入力体における前記軸心方向の前後の少なくとも一方に配置した
請求項２または３に記載のチャック装置。
【発明の詳細な説明】
【技術分野】
【０００１】
この発明は、例えば、電動ドライバや振動ドリルのような電動工具において、ドライバ治具やドリル治具等の回転治具の基軸を挿入し、締め付けて固定するチャック装置に関する。
【背景技術】
【０００２】
従来より、電動ドライバ等の先端に配置するチャック装置として、挿入された回転治具の基軸を爪（ジョー）で三方向から締付けて固定し、締付け状態をロックするロック機構を備えたチャック装置が提案されている（特許文献１参照）。
【０００３】
このチャック装置は、チャック本体に対して軸方向が拘束された係止リングと、ラチェット本体に対して軸方向に移動可能な保持リングとを備えている。そして、前記係止リング及び前記保持リングのそれぞれの対向面に、緩み方向に対して噛合するラチェットギアが形成されている。
【０００４】
したがって、保持リングを軸方向に移動させ、係止リング及び保持リングのラチェットギアが噛合することによって、締付け固定状態において、締付け解除方向の回転を規制し、締付け状態をロックすることができるとされている。
【０００５】
しかしながら、回転治具の基軸をジョーで三方向から固定する締付け状態をロック機構でロックして回転駆動させ、回転治具で削孔等を行う際の振動による共振や慣性力によって、回転入力体が締付け解除方向に回転して、ロック状態が不用意に解除されるおそれがあった。
【先行技術文献】
【特許文献】
【０００６】
【特許文献１】特開平６−２７７９１３号公報
【発明の概要】
【発明が解決しようとする課題】
【０００７】
そこでこの発明は、固定状態のロックが不用意に解除されることなく、固定状態を確実にロックできるチャック装置を提供することを目的とする。
【課題を解決するための手段】
【０００８】
この発明は、軸心上で回転可能な駆動軸を有する駆動装置に装着するチャック装置であって、前記軸心上に配置され、先端側に回転治具の基軸の挿入を許容する軸孔を有する略円筒状のチャック本体と、該チャック本体において、先端側で前記軸孔に連絡するとともに、後端側で前記チャック本体の側方に開口する傾斜孔に挿着され、前記チャック本体に対して移動可能に配置された複数のチャック爪と、前記チャック本体に回動可能に保持されるとともに、前記チャック本体及び前記チャック爪に対する螺合によって前記複数のチャック爪を同期して前記傾斜孔内を傾斜方向に移動させるナットリングと、前記チャック本体に対して回転自在に装着するとともに、回転操作によって回転力を入力する回転入力体と、前記チャック本体に対する前記回転入力体の締付け方向の回転入力を許容するとともに、回転入力体の緩み方向の回転を規制するロック状態と、前記チャック本体に対する前記回転入力体の緩み方向の回転を解放するロック解除状態とを切り替えるロック手段とで構成し、前記ロック手段によるロック状態、且つ前記駆動装置の駆動回転状態において、前記回転入力体の前記軸心方向の不用意な移動に伴って、前記チャック本体に対する前記回転入力体の回転を制限する回転制限手段を備えたチャック装置であることを特徴とする。
【０００９】
上記回転可能な駆動軸を有する駆動装置は、振動ドリルや電動ドライバ等の回転電動工具とすることができる。  
上記回転治具とは、回転するドリル治具や、プラスやマイナスのドライバ治具などとすることができる。  
上記回転治具の基軸は工具シャンクともいい、上記チャック爪はジョーともいう。
【００１０】
上述の前記回転入力体の前記軸心方向の不用意な移動は、利用者が意図的に移動させることではなく、回転駆動時における振動や慣性力等によって、意図せずに、不用意に移動することを示している。
【００１１】
上述の前記回転入力体の前記軸心方向の不用意な移動に伴って、前記チャック本体に対する前記回転入力体の回転を制限する回転制限手段は、前記回転入力体の前記軸心方向の不用意な移動に伴って、チャック本体やチャック本体の一部に対して、摩擦力で回転を制限する手段や、駆動回転しない状態では、自由に回転できるが、回転駆動時の前記回転入力体の前記軸心方向の不用意な移動に伴って機械的に噛合して回転を制限する手段などとすることができる。
【００１２】
この発明により、固定状態のロックが不用意に解除されることなく、固定状態を確実にロックすることができる。  
具体的には、チャック本体と、チャック爪と、ナットリングと、回転入力体と、ロック手段とで構成することで、チャック本体の傾斜孔に挿着したチャック爪を、回転入力体から入力した回転で、チャック爪を同期させながら前記傾斜孔内を傾斜方向に移動させ、軸孔に挿入された基軸を把持して固定するとともに、チャック爪による基軸の固定状態が緩まないようにロック手段でロックすることができる。
【００１３】
また、前記チャック本体に対する前記回転入力体の締付け方向の回転入力を許容するとともに、回転入力体の緩み方向の回転を規制するロック状態と、前記チャック本体に対する前記回転入力体の緩み方向の回転を解放するロック解除状態とを切り替える構成であるロック手段により、ロック状態では、緩み方向の回転を規制した状態で締付け方向の回転が許容されるため、緩むことなく、回転入力体を締付け方向に回転させ、チャック爪によって基軸を確実に把持して固定するとともに、ロック解除状態に切り替えることで、チャック爪による基軸の把持を解放することができる。
【００１４】
なお、基軸をチャック爪で把持して固定するとともに、前記ロック手段がロック状態である場合において、回転治具が回転駆動することによって、チャック装置に、回転方向や軸心方向の振動や、回転方向の慣性力が作用する。特に、前記回転入力体に作用する回転方向の振動が共振したり、ロック解除方向の慣性力が作用すると、回転入力体がロック解除方向、つまり緩み方向に回転して、意図せず、ロック手段によるロックが解除されるおそれがある。
【００１５】
しかしながら、前記ロック手段によるロック状態、且つ前記駆動装置の駆動回転状態において、前記回転入力体の前記軸心方向の不用意な移動に伴って、前記チャック本体に対する前記回転入力体の回転を制限する回転制限手段を備えたことにより、駆動回転によって作用する振動が共振したり、慣性力が作用することで、回転入力体が前記軸心方向に不用意に移動して、前記チャック本体に対する前記回転入力体の回転を制限するため、回転入力体がロック解除方向に回転することなく、ロック手段によるロック状態が意図せずに解除されることを防止できる。換言すると、回転を入力する回転入力体の、駆動回転の振動等による軸心方向の不用意な移動によって、回転入力体自らの回転を制限するため、回転入力体がロック解除方向に回転することなく、ロック手段によるロック状態が意図せずに解除されることを防止できる。つまり、回転制限手段は、ロック手段によるロック状態を補償するロック保持機構として機能することができる。  
したがって、固定状態のロックが不用意に解除されることなく、確実に、チャック爪で基軸を把持する固定状態をロックすることができる。
【００１６】
この発明の態様として、前記回転制限手段を、前記軸心方向の移動によって、前記回転方向の摩擦力を増大させる摩擦増大手段で構成することができる。  
上述の摩擦増大手段は、食い込みによる摩擦増大手段、あるいは摩擦係数の高い部材との摺動面を大きくとることで摩擦力を増大する手段などとすることができる。
【００１７】
この発明により、回転入力体の不用意な軸心方向の移動を、回転入力体自らの回転を制限するための力として、摩擦力を増大させるため、簡単な構成で、回転入力体のロック解除方向の回転を確実に制限することができる。
【００１８】
またこの発明の態様として、前記チャック本体に固定されたリング状のリング状固定部材を備えるとともに、前記摩擦増大手段を、前記回転入力体及び前記リング状固定部材のうち一方の他方側の軸心方向端部に形成し、他方に向かって突出する突出部と、他方の一方側の軸心方向端部に備え、前記突出部の食い込みを許容する被食い込み部材とで構成することができる。
【００１９】
上記リング状のリング状固定部材は、例えば、チャック本体の前方側に固定されたキャップや、チャック本体の後方側に固定されたバックスリーブなど、チャック本体に固定されていれば部材を問わず、様々な部材とすることができる。また、リング状固定部材のチャック本体への固定方法は、圧入、接着、溶着、嵌着など様々な固定方法での固定として、固定方法は問わず、チャック本体に対して
軸心方向及び回転方向に移動することなく固定されていればよい。  
上記被食い込み部材は、前記突出部の食い込みを許容すれば、樹脂やゴムなどの素材を限定することはなく、別部材あるいは部材の一部で構成してもよい。
【００２０】
この発明により、より確実に、不用意な回転入力体のロック解除方向の回転を防止することができる。  
詳述すると、単に、面接触した部材同士を摩擦力が作用するように摺動させた場合、部材同士の接触状態によって摩擦力が影響されるが、前記摩擦増大手段を、前記回転入力体及び前記リング状固定部材のうち一方の他方側の軸心方向端部に形成し、他方に向かって突出する突出部と、他方の一方側の軸心方向端部に備え、前記突出部の食い込みを許容する被食い込み部材とで構成することで、一方の他方側の軸心方向端部に形成した突出部が、他方の一方側の軸心方向端部に備えた被食い込み部材に食い込むことで、接触状態に応じず、部材同士が単に面接触する場合の摩擦力に比べて、簡単な構造でありながら確実に摩擦力を増大させることができる。
【００２１】
またこの発明の態様として、前記摩擦増大手段を、前記回転入力体における前記軸心方向の前後の少なくとも一方に配置することができる。  
このように、前記摩擦増大手段を、前記回転入力体における前記軸心方向の前後の少なくとも一方に配置することで、上述したように、回転入力体の不用意な軸心方向の移動を、回転入力体自らの回転を制限するための力として、摩擦力を増大させて、回転入力体のロック解除方向の回転を確実に制限することができる。なお、前記回転入力体における前記軸心方向の前後の両方に配置することで、さらに確実に、回転入力体のロック解除方向の回転を制限することができる。
【発明の効果】
【００２２】
この発明によれば、固定状態のロックが不用意に解除されることなく、固定状態を確実にロックできるチャック装置を提供することができる。
【図面の簡単な説明】
【００２３】
【図１】チャック装置を備えた電動工具の正面図。
【図２】チャック装置の各構成要素の正面や背面、及び側面や断面を併記した分解説明図。
【図３】チャック装置の各構成要素の正面側からの分解斜視図。
【図４】チャック装置の各構成要素の背面側からの分解斜視図。
【図５】チャック装置の縦断面図。
【図６】チャック装置におけるロック保持機構の各構成要素の正面や背面、及び側面や断面を併記した分解説明図。
【図７】ロック保持機構の各構成要素の正面側からの分解斜視図。
【図８】ロック保持機構の各構成要素の背面側からの分解斜視図。
【図９】ロック保持機構の縦断面図。
【発明を実施するための形態】
【００２４】
この発明の一実施の形態を以下図面に基づいて詳述する。  
図１はチャック装置１を備えた電動工具Ｋの正面図を示し、図２はチャック装置１の各構成要素の正面や背面、及び側面や断面を併記した分解説明図を示している。
【００２５】
詳しくは、バックスリーブ２１、バックＯリング２２、チャックボディ１１、ナットリング３４、及びフロントＯリング２５は正面図及び断面図を示し、ベアリングボール３２、インナースプリング３３、螺旋ボール３５、コイルスプリング３６、コイルリベット３７及びクリックピン３８は正面図及び側面図を示し、ベアリングカバ３１、アウタースリーブ２４及び先端キャップ２６は背面図及び断面図を示し、インナースリーブ２３は正面図、背面図及び断面図を示している。なお、ジョー１２は三方向に配置した状態の側面図を示している。また、インナースリーブ２３は正面図及び背面図を軸心方向Ｘの後方（図２において左側）から前方（図２において右側）に向かってこの順で図示している。
【００２６】
図３はチャック装置１の各構成要素の正面側からの分解斜視図を示し、図４はチャック装置１の各構成要素の背面側からの分解斜視図を示し、図５はチャック装置１の縦断面図を示している。
【００２７】
図６はチャック装置１におけるロック保持機構２０の各構成要素の正面や背面、及び断面を併記した分解説明図を示し、図７はロック保持機構２０の各構成要素の正面側からの分解斜視図を示し、図８はロック保持機構２０の各構成要素の背面側からの分解斜視図を示し、図９はロック保持機構２０の縦断面図を示している。
【００２８】
詳述すると、図６において、バックスリーブ２１、バックＯリング２２、及びフロントＯリング２５は正面図及び断面図を示し、アウタースリーブ２４及び先端キャップ２６は背面図及び断面図を示し、インナースリーブ２３は正面図、背面図及び断面図を示している。
【００２９】
本発明のチャック装置１は、電動工具Ｋの先端に装備されるものである。例えば、この電動工具Ｋは、利用者が使用時に握るハンドル部２ａを備えたハウジング２、及び該ハウジング２の前方に設けたスピンドル４を備えている。
【００３０】
そして、チャック装置１はスピンドル４の先端に装着され、チャック装置１で回転治具５の基軸５ａを締付け固定するものである。なお、スピンドル４は、ハンドル部２ａに配置したトリガ６を操作することで、ハウジング内部に設置された、正逆転回転可能なモータＭの回転駆動力によって回転する構成である。
【００３１】
上述の電動工具Ｋに装備されるチャック装置１は、図２乃至４に示すように、主要部品であるチャック本体１０、ロック保持機構２０及びベアリングロック機構３０を組み付けて構成している。  
チャック本体１０は、チャックボディ１１と、ジョー１２とで構成している。  
チャックボディ１１は、後方側から、後胴部１１１、中胴部１１２、前胴部１１３とで構成し、中心に軸心方向Ｘの挿入孔１１４を有する略円筒形状に形成している。
【００３２】
そして、チャックボディ１１における周方向の三ケ所に、中胴部１１２から前胴部１１３を介し、外周側から内周側に向かい、軸心方向Ｘに対して交叉する方向で挿入孔１１４に連通するジョー装着孔１１５を配置している。なお、３つのジョー装着孔１１５の径内側方向の延長線上の交点は軸心方向Ｘ上となるように形成している。
【００３３】
ジョー１２は、後述するナットリング３４の嵌合ネジ溝３４５に嵌め込んだ螺旋ボール３５及びコイルスプリング３６に螺合するネジ溝１２１を後方側の外側面に有する略円柱状に形成している。さらに、ジョー１２の前側内側面は、略円柱状の軸心方向に対して交叉する方向で、軸心方向Ｘに対して略平行な押圧面１２２を形成し、該押圧面１２２の幅方向中央には、カーバイド製のチップ１２３を装備している。このような構成のジョー１２は、上述したように、軸心方向Ｘに対して周方向における三方向において、押圧面１２２が軸心方向Ｘに平行となる姿勢で配置される。
【００３４】
上述のように構成したチャックボディ１１のジョー装着孔１１５にジョー１２を挿入してチャック本体１０を構成する。このとき、ジョー１２は、ネジ溝１２１が径外側向きとなるように、ジョー装着孔１１５に挿入される。
【００３５】
ベアリングロック機構３０は、図２乃至４に示すように、軸心方向Ｘの後方から順に、ベアリングカバ３１、ベアリングボール３２、インナースプリング３３、ナットリング３４、螺旋ボール３５、コイルスプリング３６、コイルリベット３７及びクリックピン３８で構成している。
【００３６】
ベアリングカバ３１は、正面視中央に、中胴部１１２の挿通を許容する中央開口３１１を有し、ベアリングロック機構３０における基端側（軸心方向Ｘにおける後方側）の後方面を構成する後方リング面３１２と、後方リング面３１２の外周縁から前方に突出する外周側面３１３とで構成している。なお、後方リング面３１２と外周側面３１３とで構成する角部は、ベアリングボール３２に対応する曲面で構成している。
【００３７】
また、中央開口３１１を形成する後方リング面３１２の内周縁には、中央開口３１１に向かって正面視半円状に突出し、チャックボディ１１の中胴部１１２に装着された際に、チャックボディ１１に対して回転固定するための回転固定タブ３１４を周方向に等間隔を隔てて三ケ所に配置している。
【００３８】
また、外周側面３１３の内周面の前方には、後述するインナースプリング３３のアーム部３３５のラチェット爪部３３５ｂと噛合するラチェットギア３１５を周方向に配置している。さらに、外周側面３１３の内周面におけるラチェットギア３１５より後方に、後述するインナースプリング３３の前方リング面３３２に形成した嵌合凸部３３２ａの嵌合を許容する周方向の溝である嵌合溝３１６を有している。
【００３９】
インナースプリング３３は、正面視中央に、中胴部１１２の挿通を許容する中央開口３３１を有し、前方リング面３３２と、前方リング面３３２の内周縁から内方に向かって湾曲するとともに後方に突出する内周面３３３と、前方リング面３３２の外周縁から前方に向かって突出し、後述するナットリング３４と嵌合するとともに、ラチェットギア３１５と噛合してラチェット機構を構成するラチェット爪部３３５ｂを有する前方突出部３３４とで構成している。
【００４０】
前方リング面３３２の外周縁には、上述する嵌合溝３１６に嵌合する嵌合凸部３３２ａを、所定間隔を隔てて複数配置している。  
前方突出部３３４は、軸心方向部分３３４ａａと、軸心方向部分３３４ａａより短く、軸心方向部分３３４ａａの前後方向中央より前方よりの位置から周方向に延びる周方向部分３３４ａｂとで平面視十字状に構成した突出部本体３３４ａと、突出部本体３３４ａの周方向部分３３４ａｂの後方端位置から両周方向に延びるアーム部３３５とで構成し、前方リング面３３２に対して周方向において等間隔に隔てて三ケ所に配置している。
【００４１】
アーム部３３５の先端には、後述するインナースリーブ２３の係止凹部２３２に係止する、径外側に湾曲状に突出する係止凸部３３５ａを有するとともに、締付け方向Ｒのアーム部３３５の先端には、ベアリングカバ３１における外周側面３１３の内周面に形成したラチェットギア３１５と噛合してラチェット機構を構成するラチェット爪部３３５ｂを、係止凸部３３５ａの後方側に並設している。  
なお、内方に向かって湾曲するとともに後方に突出する内周面３３３は、後述するベアリングボール３２に対応する曲面で構成している。
【００４２】
このように構成したベアリングカバ３１とインナースプリング３３とは、ベアリングカバ３１の外周側面３１３の内面に形成した嵌合溝３１６に、インナースプリング３３の前方リング面３３２の外周縁に形成した嵌合凸部３３２ａを嵌合させて組み付け、ベアリングカバ３１における後方リング面３１２と、インナースプリング３３における前方リング面３３２と内周面３３３とで構成する角部との間に、リング状となるように、複数配置したベアリングボール３２を挟み込んでいる。
【００４３】
また、このベアリングカバ３１とインナースプリング３３との組み付け状態において、インナースプリング３３のアーム部３３５におけるラチェット爪部３３５ｂがベアリングカバ３１の外周側面３１３の内周面に形成されたラチェットギア３１５と噛合するとともに、アーム部３３５の係止凸部３３５ａ及び係止凸部３３５ａより前方側の突出部本体３３４ａが、ベアリングカバ３１の外周側面３１３より前方に突出するように組み付けられる。
【００４４】
ナットリング３４は、断面視、後方に向かって縮径された円錐台状の円錐台状開口３４１を有するリング状であるリング本体３４２で構成し、リング本体３４２の前面には、後述するインナースリーブ２３の遊嵌ブロック２３１が周方向に遊嵌できる凹状の遊嵌凹部３４３を周方向に所定間隔を隔てて三ケ所形成している。
【００４５】
リング本体３４２の外周面には、上述のインナースプリング３３の前方突出部３３４の突出部本体３３４ａの嵌合を許容する周面嵌合凹部３４４を、前方突出部３３４に対応する箇所に三ケ所形成している。
【００４６】
また、円錐台状開口３４１を形成するリング本体３４２の内面には、後述する螺旋ボール３５及びコイルスプリング３６の嵌合を許容する螺旋状の嵌合ネジ溝３４５を形成している。なお、嵌合ネジ溝３４５は、上述したジョー１２のネジ溝１２１に対応した螺旋角度で形成するとともに、複数周分の螺旋長さで形成している。
【００４７】
ナットリング３４の嵌合ネジ溝３４５に転動可能に嵌合する螺旋ボール３５は、嵌合ネジ溝３４５に嵌合し、隣り合うボール同士が当接する状態で、１周分以上の螺旋方向長さとなる個数で構成している。
【００４８】
ナットリング３４の嵌合ネジ溝３４５に嵌合するコイルスプリング３６は、螺旋ボール３５と略同径の外径を有するコイルばねである。  
コイルリベット３７は、コイルスプリング３６の両端部に嵌め込み可能なピンであり、詳しくは、ナットリング３４の嵌合ネジ溝３４５に嵌合した状態において、螺旋方向に沿って湾曲したコイルスプリング３６の端部の内側に挿入可能な湾曲した軸部３７１と、軸部３７１の端部において、螺旋ボール３５と同径の略半球状に形成したピン頭部３７２とで構成している。
【００４９】
なお、ナットリング３４の嵌合ネジ溝３４５の溝径、螺旋ボール３５、コイルスプリング３６及びコイルリベット３７のピン頭部３７２の径は、上述したジョー１２のネジ溝１２１に対応する径で形成している。
【００５０】
このように構成した螺旋ボール３５、コイルスプリング３６及びコイルリベット３７は、コイルスプリング３６の両端部に軸部３７１を挿入してコイルリベット３７をコイルスプリング３６に装着するとともに、ナットリング３４の嵌合ネジ溝３４５における螺旋方向の締付け方向Ｒの後方（軸心方向Ｘの後方）に、コイルリベット３７が装着されたコイルスプリング３６を配置するとともに、螺旋方向の締付け方向Ｒの前方（軸心方向Ｘの前方）に螺旋ボール３５を配置する。このとき、コイルスプリング３６は、自然長に対して短くなるように、つまり、締付け方向Ｒの前方に配置した螺旋ボール３５を締付け方向Ｒの前方に向かって付勢するように配置され、ナットリング３４の嵌合ネジ溝３４５は、螺旋方向全長にわたって、螺旋ボール３５、コイルスプリング３６及びコイルリベット３７のいずれかが配置され、周方向において三か所に配置したジョー１２のそれぞれのネジ溝１２１に噛合する、前方に向かって徐々に縮径する螺旋状のネジ山を構成することとなる。  
クリックピン３８は、略俵状のピンであり、インナースプリング３３の前方突出部３３４に合わせて３つ備えている。
【００５１】
各要素がこのように構成されたベアリングロック機構３０は、まず、上述したように、ベアリングカバ３１、ベアリングボール３２及びインナースプリング３３を組付けるとともに、この組み付け状態において、ベアリングカバ３１の外周側面３１３より前方に突出する前方側の前方突出部３３４を、ナットリング３４の周面嵌合凹部３４４に嵌め込むようにして、ナットリング３４を組付ける。
【００５２】
また、端部から軸部３７１を挿入してコイルリベット３７を装着したコイルスプリング３６をナットリング３４の嵌合ネジ溝３４５における螺旋方向の締付け方向Ｒの後方に配置するとともに、螺旋方向の締付け方向Ｒの前方に螺旋ボール３５を配置する。  
さらに、周面嵌合凹部３４４に嵌め付けた前方突出部３３４の側部にクリックピン３８を配置してベアリングロック機構３０の組み付けを完了する。
【００５３】
ロック保持機構２０は、バックスリーブ２１、バックＯリング２２、インナースリーブ２３、アウタースリーブ２４、フロントＯリング２５及び先端キャップ２６で構成しており、さらに詳しくは、ロック保持機構２０は、図２乃至図４において、ベアリングロック機構３０より軸心方向Ｘの後方側に図示するバックスリーブ２１及びバックＯリング２２と、ベアリングロック機構３０より軸心方向Ｘの前方側に図示するインナースリーブ２３、アウタースリーブ２４、フロントＯリング２５及び先端キャップ２６とで構成している。
【００５４】
バックスリーブ２１は、チャック装置１の背面を構成し、チャックボディ１１の後胴部１１１の挿入を許容する円形開口２１１を有するリング本体２１２と、円形開口２１１を形成するリング本体２１２の内周縁において軸心方向Ｘの前方に突出する内側円筒部２１３と、リング本体２１２の外周縁において軸心方向Ｘの前方に突出する外側円筒部２１４とで構成している。  
内側円筒部２１３は、チャックボディ１１の後胴部１１１に圧入可能な内径で形成するとともに、外側円筒部２１４より倍程度の高さで形成している。
【００５５】
内側円筒部２１３より半分程度の高さで形成した外側円筒部２１４の軸心方向Ｘの前方の端部は、外径側が階段状となるように縮径された縮径端部２１４ａを構成し、縮径端部２１４ａの軸心方向Ｘの前方端面には、軸心方向Ｘの前方に突出し、後述するバックＯリング２２に食い込む食込み凸部２１４ｂを周方向に所定間隔を隔てて複数形成している。
【００５６】
バックＯリング２２は、後述するアウタースリーブ２４のＯリング嵌付溝２４２へ嵌め付けられるＯリングであり、食込み凸部２１４ｂの食い込みを許容する弾性変形可能な樹脂製で構成するとともに、縮径端部２１４ａと略同径の内径を有するリング体である。
【００５７】
インナースリーブ２３は、後述するアウタースリーブ２４に軸心方向Ｘの後方より嵌め込んで内包される、アウタースリーブ２４よりひとまわり小さな側面視略釣鐘型の筒状であり、軸心方向Ｘの前方の内周側に、軸心方向Ｘの後方に突出し、ナットリング３４のリング本体３４２の前面に形成した遊嵌凹部３４３に遊嵌する遊嵌ブロック２３１を周方向に所定間隔を隔てて三ケ所形成している。
【００５８】
また、遊嵌凹部３４３同士の間において、遊嵌凹部３４３を挟むようにして、上述の係止凸部３３５ａが係止する係止凹部２３２（２３２ａ，２３２ｂ）を配置している。  
緩み方向Ｌ側のアーム部３３５の係止凸部３３５ａが係止する緩み方向Ｌ側の係止凹部２３２ｂは、係止凹部２３２ｂのうち締付け方向Ｒ側に配置され、係止した係止凸部３３５ａが径外側となる深溝部２３２ｂａと、係止凹部２３２ｂのうち緩み方向Ｌ側に配置され、係止する係止凸部３３５ａが径内側に付勢される浅溝部２３２ｂｂとが連続して一体化された溝形状で形成している。
【００５９】
締付け方向Ｒ側のアーム部３３５の係止凸部３３５ａが係止する締付け方向Ｒ側の係止凹部２３２ａは、係止凹部２３２ａのうち締付け方向Ｒ側に配置され、係止した係止凸部３３５ａが径内側に付勢される浅溝部２３２ａａと、係止凹部２３２ａのうち緩み方向Ｌ側に配置され、係止する係止凸部３３５ａが径外側となる深溝部２３２ａｂとが連続して一体化された溝形状で形成している。
【００６０】
なお、係止した係止凸部３３５ａが径内側に付勢される浅溝部２３２ａａは、組み付け状態において、係止した係止凸部３３５ａが径内側に付勢されることで、係止凸部３３５ａと並設されたラチェット爪部３３５ｂが、ベアリングカバ３１のラチェットギア３１５から径内側に離間し、ラチェットギア３１５との噛合が解消される位置まで移動する深さで形成している。
【００６１】
また、係止凹部２３２ａ，２３２ｂにおける浅溝部（２３２ａａ，２３２ｂｂ）と、深溝部（２３２ａｂ，２３２ｂａ）との周方向間隔は、ナットリング３４の遊嵌凹部３４３にインナースリーブ２３の遊嵌ブロック２３１が遊嵌する際の遊嵌量、つまり、ナットリング３４に対してインナースリーブ２３が周方向に差動回転する回転量に対応するとともに、係止凹部２３２ａと係止凹部２３２ｂとの周方向の間隔は、前方突出部３３４に備えた締付け方向Ｒ側の係止凸部３３５ａと緩み方向Ｌ側の係止凸部３３５ａとの周方向間隔に対応して形成している。
【００６２】
したがって、締付け方向Ｒ側のアーム部３３５の係止凸部３３５ａが締付け方向Ｒ側の係止凹部２３２ａの浅溝部２３２ａａに係止した状態では、緩み方向Ｌ側のアーム部３３５の係止凸部３３５ａは緩み方向Ｌ側の係止凹部２３２ｂの深溝部２３２ｂａに係止することとなる。逆に、締付け方向Ｒ側のアーム部３３５の係止凸部３３５ａが締付け方向Ｒ側の係止凹部２３２ａの深溝部２３２ａｂに係止した状態では、緩み方向Ｌ側のアーム部３３５の係止凸部３３５ａは緩み方向Ｌ側の係止凹部２３２ｂの浅溝部２３２ｂｂに係止することとなる。
【００６３】
また、インナースリーブ２３の軸心方向Ｘの前方側端面には、軸心方向Ｘの前方に突出し、後述するフロントＯリング２５に食い込む食込み凸部２３３を周方向に所定間隔を隔てて複数形成している。
【００６４】
アウタースリーブ２４は、内部に軸心方向Ｘの後方からのインナースリーブ２３の嵌め込みを許容する、インナースリーブ２３よりひとまわり大きく、後端側がバックスリーブ２１の外周側の外側円筒部２１４と同径であり、先端側に後述するキャップ２６の挿着を許容する先端開口部２４１を有する先端側が絞られた側面視略釣鐘型の筒状に形成している。
【００６５】
また、内部にインナースリーブ２３が嵌め込まれた状態で、インナースリーブ２３より軸心方向Ｘの後方となる位置の内周面に、上述のバックＯリング２２が嵌め込まれるＯリング嵌付溝２４２を形成している。
【００６６】
フロントＯリング２５は後述する先端キャップ２６のＯリング嵌付溝２６３へ嵌め付けされるＯリングであり、食込み凸部２３３の食い込みを許容する弾性変形可能な樹脂製で構成するとともに、食込み凸部２３３が形成されたインナースリーブ２３の前端部と略同径の内径を有するリング体である。
【００６７】
キャップ２６は、正面視中央にジョー１２の挿通を許容する挿通孔２６１を有するとともに、前方に向けて寝かせた略円錐台状のキャップ本体２６０と、キャップ本体２６０の背面側において後方に突出する挿着部２６２とで構成している。挿着部２６２は、上述のアウタースリーブ２４の先端開口部２４１に挿着する中空の略円筒状である。また、キャップ本体２６０の背面において、挿着部２６２の外周側にフロントＯリング２５の嵌め付けを許容するＯリング嵌付溝２６３を備えている。
【００６８】
各要素をこのように構成したチャック装置１は、まずチャックボディ１１の後胴部１１１を円形開口２１１に挿入するようにして、バックスリーブ２１を軸心方向Ｘの後方からチャックボディ１１に装着する。なお、内面を後胴部１１１の外面と略同径に形成した内側円筒部２１３を後胴部１１１に圧入して装着するため、バックスリーブ２１は、チャックボディ１１に対して軸心方向Ｘ及び回転方向ともに固定された状態で装着される。
【００６９】
ジョー装着孔１１５にジョー１２を挿入したチャックボディ１１の前方から、組み付けたベアリングロック機構３０を装着し、全部のジョー１２のネジ溝１２１と、ベアリングロック機構３０におけるナットリング３４の嵌合ネジ溝３４５に嵌合した螺旋ボール３５及びコイルスプリング３６とを螺合させながら、チャック本体１０に対してベアリングロック機構３０を装着する。このとき、ベアリングロック機構３０を構成するベアリングカバ３１の回転固定タブ３１４は、中胴部１１２に形成した係止孔に係止するため、ベアリングカバ３１は、チャックボディ１１に対して回転固定されている。
【００７０】
さらに、インナースリーブ２３を内部に圧入して一体化するとともに、Ｏリング嵌付溝２４２にバックＯリング２２を嵌め付けたアウタースリーブ２４を、ベアリングロック機構３０を装着したチャックボディ１１の前方から挿入する。
【００７１】
このとき、インナースリーブ２３の係止凹部２３２にベアリングロック機構３０のインナースプリング３３の係止凸部３３５ａが係止するとともに、ナットリング３４の遊嵌凹部３４３にインナースリーブ２３の遊嵌ブロック２３１が遊嵌するように挿着する。このとき、アウタースリーブ２４のＯリング嵌付溝２４２に嵌め付けたバックＯリング２２と、チャックボディ１１の後胴部１１１に圧入したバックスリーブ２１の食込み凸部２１４ｂとが対向する態様となる。
【００７２】
さらにまた、Ｏリング嵌付溝２６３にフロントＯリング２５を嵌め付けた先端キャップ２６の挿着部２６２をアウタースリーブ２４の先端開口部２４１から挿入して、チャック装置１の組み付けを完了する。このとき、インナースリーブ２３の前方端部に形成した食込み凸部２３３と、Ｏリング嵌付溝２６３に嵌め付けたフロントＯリング２５とが対向する態様となるとともに、先端キャップ２６はチャックボディ１１に対して軸心方向Ｘ及び回転方向に固定された状態で装着される。
【００７３】
このように、構成するとともに組み付けたチャック装置１は、チャックボディ１１の挿入孔１１４に、前方から回転治具５の基軸５ａを挿入するとともに、アウタースリーブ２４を締付け方向Ｒに回転することで、遊嵌凹部３４３に遊嵌する遊嵌ブロック２３１は、締付け方向Ｒの前方を押し付けてナットリング３４を締付け方向Ｒに回転するため、締付け方向Ｒ側のアーム部３３５の係止凸部３３５ａが締付け方向Ｒ側の係止凹部２３２ａの深溝部２３２ａｂに係止するとともに、緩み方向Ｌ側のアーム部３３５の係止凸部３３５ａは緩み方向Ｌ側の係止凹部２３２ｂの浅溝部２３２ｂｂに係止し、インナースリーブ２３及びアウタースリーブ２４とナットリング３４とは一体回転する。
【００７４】
したがって、ナットリング３４の嵌合ネジ溝３４５に嵌着した螺旋ボール３５及びコイルスプリング３６をネジ山として、ネジ溝１２１が螺合する３本のジョー１２は、同期しながら、ジョー装着孔１１５を傾斜方向に進行し、挿入孔１１４に挿入された回転治具５の基軸５ａを周方向における三方向から把持して固定することができる。
【００７５】
このとき、インナースプリング３３のアーム部３３５に有するラチェット爪部３３５ｂは、チャックボディ１１に対して回転固定されたベアリングカバ３１のラチェットギア３１５に噛合しているため、締付け方向Ｒには回転できるが、緩み方向Ｌの回転は規制された状態となっている。
【００７６】
さらに、アウタースリーブ２４を締付け方向Ｒに回転させると、基軸５ａを把持したジョー１２は、ジョー装着孔１１５を傾斜方向に前進できなくなり、傾斜方向に前進できなくなったジョー１２のネジ溝１２１は固定され、アウタースリーブ２４のさらなる締付け方向Ｒの回転によって、ネジ溝１２１に噛合するとともに、ナットリング３４の嵌合ネジ溝３４５に嵌合した螺旋ボール３５及びコイルスプリング３６のうち螺旋ボール３５は、螺旋方向後ろ向きに転動し、いわゆるボールねじとして機能して、アウタースリーブ２４から入力された締付け方向Ｒの回転力を増大して、増大された締付け方向Ｒの回転力をネジ溝１２１に対して伝達し、ジョー１２による基軸５ａの把持力を向上することができる。
【００７７】
したがって、少ない回転力で確実に基軸５ａをジョー１２で把持して固定することができる。なお、この状態では、アーム部３３５のラチェット爪部３３５ｂがベアリングカバ３１のラチェットギア３１５に噛合しているため、ナットリング３４の緩み方向Ｌの回転は規制され、つまり増大された回転力によるジョー１２の基軸５ａの固定状態をロックしているため、確実に基軸５ａをジョー１２で把持して固定することができる。
【００７８】
逆に、基軸５ａをジョー１２で把持して固定するとともにベアリングロック機構３０によってロックされた状態において、アウタースリーブ２４を緩み方向Ｌに回転させると、ラチェット爪部３３５ｂがラチェットギア３１５に噛合してベアリングロック機構３０の緩み方向Ｌの回転が規制されているナットリング３４に対してインナースリーブ２３及びアウタースリーブ２４が、アーム部３３５の付勢力に抗して、緩み方向Ｌに差動回転する。このアーム部３３５の付勢力に抗したインナースリーブ２３及びアウタースリーブ２４の差動回転によって、緩み方向Ｌ側のアーム部３３５の係止凸部３３５ａが緩み方向Ｌ側の係止凹部２３２ｂの深溝部２３２ｂａに係止するとともに、締付け方向Ｒ側のアーム部３３５の係止凸部３３５ａが締付け方向Ｒ側の係止凹部２３２ａの浅溝部２３２ａａに係止することとなる。したがって、アーム部３３５の先端において係止凸部３３５ａと並設されたラチェット爪部３３５ｂが、ベアリングカバ３１のラチェットギア３１５から径内側に離間し、ラチェットギア３１５とのとの噛合が解消される位置まで径内側まで移動し、ベアリングロック機構３０における緩み方向Ｌの回転規制は解除される。そして、ナットリング３４の遊嵌凹部３４３に遊嵌する遊嵌ブロック２３１は、緩み方向Ｌにナットリング３４を押し付けて、ナットリング３４を緩み方向Ｌに回転させて、ジョー１２を傾斜方向に後退させ、ジョー１２による基軸５ａの把持を解放することができる。
【００７９】
なお、上述のように、増大された回転力で基軸５ａを把持したジョー１２による固定状態及び固定状態のベアリングロック機構３０によるロック状態で、回転治具５を回転駆動して、例えば削孔などの作業を行うと、回転治具５による削孔負荷等による振動がチャック本体１０に入力される。詳しくは、回転治具５の駆動によって生じる回転方向及び軸心方向Ｘの振動は、基軸５ａを堅固に把持して固定するジョー１２及び基軸５ａを介してチャック装置１に入力される。またチャック装置１には、回転駆動による慣性力が作用する。
【００８０】
そして、チャックボディ１１に対して回転方向及び軸心方向Ｘに固定されたバックスリーブ２１及び先端キャップ２６の間に配置され、チャックボディ１１に対する回転方向や軸心方向Ｘが規制されていないインナースリーブ２３及びアウタースリーブ２４は、チャックボディ１１に対して、軸心方向Ｘ及び回転方向に振動する。
【００８１】
インナースリーブ２３及びアウタースリーブ２４は、これら振動のうち軸心方向Ｘに振動することで、アウタースリーブ２４のＯリング嵌付溝２４２に嵌め付けたバックＯリング２２や、Ｏリング嵌付溝２６３に嵌め付けたフロントＯリング２５に対して軸心方向Ｘに振動する。
【００８２】
このインナースリーブ２３及びアウタースリーブ２４の軸心方向Ｘの振動により、アウタースリーブ２４のＯリング嵌付溝２４２に嵌め付けたバックＯリング２２はバックスリーブ２１の食込み凸部２１４ｂに食い込んだり、インナースリーブ２３の食込み凸部２３３が、先端キャップ２６のＯリング嵌付溝２６３に嵌め付けたフロントＯリング２５に食い込むため、チャックボディ１１に対して回転固定されたバックスリーブ２１や先端キャップ２６に対して、回転方向の摩擦力が増大し、ロック状態にあるインナースリーブ２３及びアウタースリーブ２４がチャックボディ１１に対して不用意に回転することを防止できる。
【００８３】
つまり、ベアリングロック機構３０におけるロック状態をバックスリーブ２１の食込み凸部２１４ｂのバックＯリング２２に対する食い込みや、インナースリーブ２３の食込み凸部２３３のフロントＯリング２５への食い込みによって、つまり、回転方向の振動力や慣性力がアーム部３３５の付勢力に抗して、不用意にロック解除状態になることを防止するインナースリーブ２３及びアウタースリーブ２４によるセルフロックであり、換言すると、ロック保持機構２０は、ベアリングロック機構３０によるロック状態を、バックスリーブ２１の食込み凸部２１４ｂのバックＯリング２２に対する食い込みや、インナースリーブ２３の食込み凸部２３３のフロントＯリング２５への食い込みによって補償する補償機構として機能することができる。
【００８４】
このように、軸心方向Ｘ上で回転可能なスピンドル４を有する電動工具Ｋに装着するチャック装置１は、軸心方向Ｘ上に配置され、先端側に回転治具５の基軸５ａの挿入を許容する挿入孔１１４を有する略円筒状のチャックボディ１１と、チャックボディ１１において、先端側で挿入孔１１４に連絡するとともに、後端側でチャックボディ１１の側方に開口するジョー装着孔１１５に挿着され、チャックボディ１１に対して移動可能に配置された複数のジョー１２と、チャックボディ１１に回動可能に保持されるとともに、チャックボディ１１及びジョー１２に対する螺合によって複数のジョー１２を同期してジョー装着孔１１５内を傾斜方向に移動させるナットリング３４と、チャックボディ１１に対して回転自在に装着するとともに、回転操作によって回転力を入力するインナースリーブ２３及びアウタースリーブ２４と、チャックボディ１１に対するインナースリーブ２３及びアウタースリーブ２４の締付け方向Ｒの回転入力を許容するとともに、インナースリーブ２３及びアウタースリーブ２４の緩み方向Ｌの回転を規制するロック状態と、チャックボディ１１に対するインナースリーブ２３及びアウタースリーブ２４の緩み方向Ｌの回転を解放するロック解除状態とを切り替えるベアリングロック機構３０とで構成し、ベアリングロック機構３０によるロック状態、且つ電動工具Ｋの駆動回転状態において、インナースリーブ２３及びアウタースリーブ２４の軸心方向Ｘの不用意な移動に伴って、チャックボディ１１に対するインナースリーブ２３及びアウタースリーブ２４の回転を制限するロック保持機構２０を備えたため、固定状態のロックが不用意に解除されることなく、ジョー１２による基軸５ａの固定状態を確実にロックすることができる。
【００８５】
具体的には、チャックボディ１１と、ジョー１２と、ナットリング３４と、インナースリーブ２３及びアウタースリーブ２４と、ベアリングロック機構３０とで構成することで、チャックボディ１１のジョー装着孔１１５に挿着したジョー１２を、インナースリーブ２３及びアウタースリーブ２４から入力した回転で、ジョー１２を同期させながらジョー装着孔１１５内を傾斜方向に移動させ、挿入孔１１４に挿入された基軸５ａを把持して固定するとともに、ジョー１２による基軸５ａの固定状態を緩まないようにベアリングロック機構３０でロックすることができる。
【００８６】
また、ベアリングロック機構３０を、チャックボディ１１に対するインナースリーブ２３及びアウタースリーブ２４の締付け方向Ｒの回転入力を許容するとともに、インナースリーブ２３及びアウタースリーブ２４の緩み方向Ｌの回転を規制するロック状態と、チャックボディ１１に対するインナースリーブ２３及びアウタースリーブ２４の緩み方向Ｌの回転を解放するロック解除状態とを切り替える構成であるため、ロック状態では、緩み方向Ｌの回転を規制した状態で締付け方向Ｒの回転が許容されるため、緩むことなく、インナースリーブ２３及びアウタースリーブ２４を締付け方向Ｒに回転させ、ジョー１２によって基軸５ａを確実に把持して固定するとともに、ロック解除状態に切り替えることで、ジョー１２による基軸５ａの把持を解放することができる。
【００８７】
なお、基軸５ａをジョー１２で把持して固定するとともに、ベアリングロック機構３０がロック状態である場合において、回転治具５が回転駆動することによって、チャック装置１に、回転方向や軸心方向Ｘの振動や、回転方向の慣性力が作用する。特に、インナースリーブ２３及びアウタースリーブ２４に作用する回転方向の振動が共振したり、ロック解除方向（緩み方向）の慣性力が作用すると、インナースリーブ２３及びアウタースリーブ２４がロック解除方向に回転して、意図せず、ベアリングロック機構３０のロックが解除されるおそれがある。
【００８８】
しかしながら、ベアリングロック機構３０によるロック状態、且つ電動工具Ｋの駆動回転状態において、インナースリーブ２３及びアウタースリーブ２４の軸心方向Ｘの不用意な移動に伴って、チャックボディ１１に対するインナースリーブ２３及びアウタースリーブ２４の回転を制限するロック保持機構２０を備えたことにより、駆動回転によって作用する振動が共振したり、慣性力が作用することで、インナースリーブ２３及びアウタースリーブ２４が軸心方向Ｘに不用意に移動して、チャックボディ１１に対するインナースリーブ２３及びアウタースリーブ２４の回転を制限する。
【００８９】
したがって、インナースリーブ２３及びアウタースリーブ２４がロック解除方向に回転することなく、ベアリングロック機構３０によるロック状態が意図せずに解除されることを防止できる。
【００９０】
換言すると、回転を入力するインナースリーブ２３及びアウタースリーブ２４の、駆動回転の振動等による軸心方向Ｘの不用意な移動によって、インナースリーブ２３及びアウタースリーブ２４自らの回転を制限するため、インナースリーブ２３及びアウタースリーブ２４がロック解除方向に回転することなく、ベアリングロック機構３０によるロック状態が意図せずに解除されることを防止できる。つまり、ロック保持機構２０は、ベアリングロック機構３０によるロック状態を補償するロック保持機構として機能することができる。  
したがって、固定状態のロックが不用意に解除されることなく、確実に、ジョー１２で基軸５ａを把持する固定状態をロックすることができる。
【００９１】
また、ロック保持機構２０に、インナースリーブ２３及びアウタースリーブ２４の軸心方向Ｘの移動によって、回転方向の摩擦力を増大させる食込み凸部２１４ｂ及びバックＯリング２２並びに食込み凸部２３３及びフロントＯリング２５を備えたことにより、インナースリーブ２３及びアウタースリーブ２４の不用意な軸心方向Ｘの移動を、インナースリーブ２３及びアウタースリーブ２４自らの回転を制限するための力として、摩擦力を増大させるため、簡単な構成で、ベアリングロック機構３０のロックを解除するインナースリーブ２３及びアウタースリーブ２４のロック解除方向の不用意な回転を確実に制限することができる。
【００９２】
また、チャックボディ１１に固定されたリング状のバックスリーブ２１及び先端キャップ２６を備え、バックスリーブ２１に軸心方向Ｘの前方に向かって突出する食込み凸部２１４ｂを形成するとともに、アウタースリーブ２４にバックＯリング２２を配置し、さらに、インナースリーブ２３に軸心方向Ｘの前方に向かって食込み凸部２３３を形成するとともに、先端キャップ２６にフロントＯリング２５を配置したため、より確実に、インナースリーブ２３及びアウタースリーブ２４の不用意なロック解除方向の回転を防止することができる。
【００９３】
詳述すると、単に、面接触した部材同士を摩擦力が作用するように摺動させた場合、部材同士の接触状態によって摩擦力が影響されるが、バックスリーブ２１に軸心方向Ｘの前方に向かって突出する食込み凸部２１４ｂを形成するとともに、アウタースリーブ２４にバックＯリング２２を配置し、さらに、インナースリーブ２３に軸心方向Ｘの前方に向かって食込み凸部２３３を形成するとともに、先端キャップ２６にフロントＯリング２５を配置することで、食込み凸部２１４ｂ，２３３が、バックＯリング２２やフロントＯリング２５に食い込むことで、接触状態に応じず、部材同士が単に面接触する場合の摩擦力に比べて、簡単な構造でありながら確実に摩擦力を増大させることができる。
【００９４】
なお、外側円筒部２１４に食込み凸部２１４ｂを形成するとともに、アウタースリーブ２４にバックＯリング２２を配置し、さらに、インナースリーブ２３に食込み凸部２３３を形成するとともに、先端キャップ２６にフロントＯリング２５を配置したが、これらの組み合わせの少なくとも一方を配置することで、上述したように、インナースリーブ２３及びアウタースリーブ２４の不用意な軸心方向Ｘの移動を、インナースリーブ２３及びアウタースリーブ２４自らの回転を制限するための力として、摩擦力を増大させて、インナースリーブ２３及びアウタースリーブ２４のロック解除方向の回転を確実に制限することができるが、両組み合わせを備えることで、さらに確実に、インナースリーブ２３及びアウタースリーブ２４のロック解除方向の回転を制限することができる。
【００９５】
また、ナットリング３４とインナースリーブ２３及びアウタースリーブ２４とを一体回転させるとともに、所定の回転負荷によってナットリング３４とインナースリーブ２３及びアウタースリーブ２４とを差動回転する、係止凹部２３２に係止するインナースプリング３３の係止凸部３３５ａを備え、ベアリングロック機構３０を、ロック状態と、ロック解除状態とを切り替える構成とすることにより、所定の回転負荷が作用するまでナットリング３４とインナースリーブ２３及びアウタースリーブ２４とが一体回転し、所定の回転負荷によってナットリング３４とインナースリーブ２３及びアウタースリーブ２４とが差動回転することができる。そのため、係止凹部２３２に係止するインナースプリング３３のアーム部３３５の付勢力を制御することで、ベアリングロック機構３０を切り替える回転力を制御することができる。
【００９６】
また、係止凸部３３５ａによって係止凹部２３２に係止するインナースプリング３３のアーム部３３５の付勢力による所定の回転負荷を小さく設定すると、小さな回転力の入力でベアリングロック機構３０のロックが解除される。逆に、係止凹部２３２に係止するインナースプリング３３のアーム部３３５の付勢力による所定の回転負荷を大きく設定すると、小さな回転力の入力ではベアリングロック機構３０のロックは解除されない。
【００９７】
上述のように、インナースプリング３３のアーム部３３５の付勢力による所定の回転負荷を小さく設定する場合、ベアリングロック機構３０がロック状態である場合において、回転治具５が回転駆動することによって、チャック装置１に、回転方向や軸心方向Ｘの振動や、回転方向の慣性力が作用し、ロック状態が解除されるおそれがある。
【００９８】
しかしながら、食込み凸部２１４ｂ及びバックＯリング２２並びに食込み凸部２３３及びフロントＯリング２５をロック保持機構２０に備えているため、インナースリーブ２３及びアウタースリーブ２４のナットリング３４に対する差動回転を食込み凸部２１４ｂ及びバックＯリング２２並びに食込み凸部２３３及びフロントＯリング２５が制限するため、不用意にインナースリーブ２３及びアウタースリーブ２４がロック解除方向に回転してベアリングロック機構３０によるロックを解除されることを防止できる。
【００９９】
この発明の構成と、上述の実施形態との対応において、
この発明の軸心は、軸心方向Ｘに対応し、
以下同様に、
駆動軸は、スピンドル４に対応し、
駆動装置は、電動工具Ｋに対応し、
軸孔は、挿入孔１１４に対応し、
チャック本体は、チャックボディ１１に対応し、
傾斜孔は、ジョー装着孔１１５に対応し、
チャック爪は、ジョー１２に対応し、
回転入力体は、インナースリーブ２３及びアウタースリーブ２４に対応し、
ロック手段は、ベアリングロック機構３０に対応し、
回転制限手段は、ロック保持機構２０に対応し、
摩擦増大手段は、食込み凸部２１４ｂ及びバックＯリング２２並びに食込み凸部２３３及びフロントＯリング２５に対応し、
リング状固定部材は、バックスリーブ２１及び先端キャップ２６に対応し、
突出部は、食込み凸部２１４ｂ及び食込み凸部２３３に対応し、
被食い込み部材は、バックＯリング２２及びフロントＯリング２５に対応するも、
この発明は、上述の実施形態の構成のみに限定されるものではなく、多くの実施の形態を得ることができる。
【０１００】
例えば、上述のチャック装置１は、回転可能なスピンドル４を有する電動工具Ｋのみならず、振動ドリルや電動ドライバ等の回転電動工具に装着してもよい。  
バックＯリング２２及びフロントＯリング２５は、食込み凸部２１４ｂ及び食込み凸部２３３の食い込みを許容すれば、樹脂やゴムなどの素材を限定することはなく、アウタースリーブ２４や先端キャップ２６自体と摺動させて、所定の摩擦力が得られる場合は、バックＯリング２２やフロントＯリング２５を設けなくてもよい。
【０１０１】
さらには、外側円筒部２１４にバックＯリング２２を嵌め付け、アウタースリーブ２４に軸心方向Ｘの後方に突出する凸部を形成し、インナースリーブ２３にフロントＯリング２５を嵌め付け、先端キャップ２６に軸心方向Ｘの後方に突出する凸部を形成してもよい。
【０１０２】
また、食込み凸部２１４ｂ及び食込み凸部２３３のように、バックＯリング２２及びフロントＯリング２５に食い込ませるように突出させずとも、バックスリーブ２１の外側円筒部２１４やインナースリーブ２３の端部面を粗面処理して、摩擦力を増大させてもよい。
【０１０３】
さらには、食込み凸部２１４ｂ及び食込み凸部２３３のように、バックＯリング２２及びフロントＯリング２５に食い込ませて摩擦力を増大せずとも、バックスリーブ２１の外側円筒部２１４とインナースリーブ２３との間にバックＯリング２２を配置するとともに、インナースリーブ２３とアウタースリーブ２４との間にフロントＯリング２５を配置し、バックＯリング２２をバックスリーブ２１の外側円筒部２１４とインナースリーブ２３とで摺動させるとともに、フロントＯリング２５をインナースリーブ２３とアウタースリーブ２４とで摺動させて、摩擦力を増大させてもよい。この場合であっても、インナースリーブ２３及びアウタースリーブ２４自らの回転を制限するため、インナースリーブ２３及びアウタースリーブ２４がロック解除方向に回転することなく、ベアリングロック機構３０によるロック状態が意図せずに解除されることを防止できる。
【０１０４】
また、インナースリーブ２３及びアウタースリーブ２４自らの回転を摩擦力によって制限せずとも、例えば、駆動回転しない状態において、インナースリーブ２３及びアウタースリーブ２４が自由回転すれば、回転を入力するインナースリーブ２３及びアウタースリーブ２４の駆動回転の振動等による軸心方向Ｘの不用意な移動によって、インナースリーブ２３及びアウタースリーブ２４とチャックボディ１１やチャックボディ１１に回転固定された部材に対して機械的に噛合してインナースリーブ２３及びアウタースリーブ２４の回転を制限する構成であってもよい。  
また、上述の説明では、インナースリーブ２３及びアウタースリーブ２４を別体で構成したが、一体で構成してもよい。
【符号の説明】
【０１０５】
１…チャック装置
４…スピンドル
５…回転治具
５ａ…基軸
１１…チャックボディ
１２…ジョー
２０…ロック保持機構
２１…バックスリーブ
２２…バックＯリング
２３…インナースリーブ
２４…アウタースリーブ
２５…フロントＯリング
２６…先端キャップ
３０…ベアリングロック機構
３４…ナットリング
１１４…挿入孔
１１５…ジョー装着孔
２１４ｂ…食込み凸部
２３３…食込み凸部
Ｋ…電動工具
Ｘ…軸心方向
【図１】
2015039756.tif 000003
【図２】
2015039756.tif 000004
【図３】
2015039756.tif 000005
【図４】
2015039756.tif 000006
【図５】
2015039756.tif 000007
【図６】
2015039756.tif 000008
【図７】
2015039756.tif 000009
【図８】
2015039756.tif 000010
【図９】
2015039756.tif 000011